(57)【要約】【課題】他人に見られずに、電子機器の使用者へ数値情報を的確に通知できる電子機器を提供すること。【解決手段】数字情報を記憶する記憶部３と、数字の桁情報を入力する入力部４と、数字情報のうち、入力された桁情報に対応する数字の回数分振動する振動部５とを備える。【選択図】図２
2012227741.tif 000002
【特許請求の範囲】
【請求項１】
数字情報を記憶する記憶手段と、
数字の桁情報を入力する入力手段と、
前記数字情報のうち、入力された桁情報に対応する数字の回数分振動する振動手段と、
を備えた電子機器。
【請求項２】
前記振動手段は、前記桁情報に対応する数字が予め決められた閾値以上であるか否かに応じて振動することを特徴とする請求項１記載の電子機器。
【請求項３】
前記閾値は、５であることを特徴とする請求項２記載の電子機器。
【請求項４】
時間を計測する計時手段をさらに備え、
前記数字情報は、時間であることを特徴とする請求項２記載の電子機器。
【請求項５】
前記閾値は、３０であることを特徴とする請求項４記載の電子機器。
【請求項６】
前記閾値は、１２であることを特徴とする請求項４記載の電子機器。
【請求項７】
前記振動手段は、前記桁情報に対応する数字が予め決められた閾値以上である場合、振動し、前記閾値未満である場合、振動しないことを特徴とする請求項２ないし請求項６のいずれか一項に記載の電子機器。
【請求項８】
前記振動手段は、前記桁情報に対応する数字が予め決められた閾値以上である場合と、前記閾値未満である場合とで振動の強弱を異ならせることを特徴とする請求項２ないし請求項６のいずれか一項に記載の電子機器。
【請求項９】
前記振動手段は、前記桁情報が特定の数字であるとき、前記数字情報の最下位桁から最上位桁まで順次、各桁の数字の回数分振動することを特徴とする請求項１記載の電子機器。
【発明の詳細な説明】
【技術分野】
【０００１】
本発明は、携帯電話等の電子機器に関し、特にバイブレータ機能を有する電子機器に関する。
【背景技術】
【０００２】
近年、携帯電話等の電子機器に電子マネー機能が搭載され、店舗や自動販売機に設置された専用装置と電子機器とが近接通信することで、電子マネーの授受を行い、品物を購入することが可能となっている。
【０００３】
従来、電子機器の使用者が、電子マネー機能で購入可能な金額の残高を確認したい場合、ＬＣＤ等の表示部に残高を表示させることで確認することができる。（例えば、特許文献１参照）
【先行技術文献】
【特許文献】
【０００４】
【特許文献１】特開２００５−１２２５０５号公報
【発明の概要】
【発明が解決しようとする課題】
【０００５】
しかしながら、電子マネーやネットバンクの普及に伴い、電子機器を用いて、屋外で残高確認を行うような状況が増えてきている。こうした状況のなか、特許文献１に記載の電子機器のように、ＬＣＤに電子マネーの残高を表示した場合、他人に金額の残高を見られるおそれがあり、個人情報保護や安全性の面から望ましくない。
【０００６】
本発明は、従来の問題を解決するためになされたもので、他人に見られずに、電子機器の使用者へ数値情報を的確に通知できる電子機器を提供することを目的とする。
【課題を解決するための手段】
【０００７】
本発明の電子機器は、数字情報を記憶する記憶手段と、数字の桁情報を入力する入力手段と、前記数字情報のうち、入力された桁情報に対応する数字の回数分振動する振動手段と、を備えた構成を有する。
【０００８】
この構成により、数字情報の、任意の桁の情報を振動によって知ることができる。
【０００９】
また、本発明の電子機器は、前記振動手段が、前記桁情報に対応する数字が予め決められた閾値以上であるか否かに応じて振動する構成を有する。
【００１０】
この構成により、数字情報の、任意の桁の情報が閾値以上であるか否かを振動によって知ることができる。
【００１１】
また、本発明の電子機器は、前記閾値が、５である構成を有する。
【００１２】
この構成により、数字情報の、任意の桁の情報が５以上であるか否かを振動によって知ることができる。
【００１３】
また、本発明の電子機器は、時間を計測する計時手段をさらに備え、前記数字情報が、時間である構成を有する。
【００１４】
この構成により、時間情報の、任意の桁の情報を振動によって知ることができる。
【００１５】
また、本発明の電子機器は、前記閾値が、３０である構成を有する。
【００１６】
この構成により、秒もしくは分の時間情報が、３０以上であるか否かを振動によって知ることができる。
【００１７】
また、本発明の電子機器は、前記閾値が、１２である構成を有する。
【００１８】
この構成により、時の時間情報が、１２以上であるか否かを振動によって知ることができる。
【００１９】
また、本発明の電子機器は、前記振動手段が、前記桁情報に対応する数字が予め決められた閾値以上である場合、振動し、前記閾値未満である場合、振動しない構成を有する。
【００２０】
この構成により、閾値を任意に指定し、数字情報の、任意の桁の情報がその閾値以上であるか否かを振動によって知ることができる。
【００２１】
また、本発明の電子機器は、前記振動手段が、前記桁情報に対応する数字が予め決められた閾値以上である場合と、前記閾値未満である場合とで振動の強弱を異ならせる構成を有する。
【００２２】
この構成により、数字情報の、任意の桁の情報が、任意に指定した閾値以上であるか否かを振動の強弱によって知ることができる。
【００２３】
また、本発明の電子機器は、前記振動手段が、前記桁情報が特定の数字であるとき、前記数字情報の最下位桁から最上位桁まで順次、各桁の数字の回数分振動する構成を有する。
【００２４】
この構成により、特定の桁情報を入力した際に、数字情報の最下位桁から最上位桁まで順に各桁の数字回数分振動することができる。
【発明の効果】
【００２５】
本発明の電子機器によれば、他人にみられずに、電子機器の使用者へ数値情報を的確に通知できる。
【図面の簡単な説明】
【００２６】
【図１】本発明の実施形態１における携帯電話機の概略構成を示すブロック図
【図２】本発明の実施形態１における携帯電話機の処理手順を示すフローチャート
【図３】本発明の実施形態２における携帯電話機の概略構成を示すブロック図
【発明を実施するための形態】
【００２７】
以下、本発明の実施形態について、添付図面を参照しながら説明する。なお、ここでは、本発明の電子機器として、携帯電話機を例にして説明する。
【００２８】
（実施の形態１）
図１は、本発明の実施形態１における携帯電話機１の概略構成を示すブロック図である。
【００２９】
携帯電話機１は、通信部２、記憶部３、入力部４、振動部５、制御部６から構成されている。なお、図示しないが、液晶ディスプレイ等の表示部や、スピーカ等の音声出力部、カメラ等の撮影部をはじめ、携帯電話機に一般的に搭載されている構成はもちろん携帯電話機１にも搭載されているものとする。
【００３０】
通信部２は、送信部と受信部とからなり、特に、外部電子機器から送られた情報を受信して、記憶部３へ入力する。また、通信部２の通信形態は、有線、無線を問わない。例えば、通信ケーブルを介して外部電子機器から各種情報を受信してもよいし、Ｗ−ＣＤＭＡ方式やＧＳＭ方式の通信網を介したり、非接触の近接通信によって、外部電子機器から各種情報を受信してもよい。
【００３１】
記憶部３は、通信部２から入力された情報や、入力部４から入力された情報を記憶する。
【００３２】
入力部４は、タッチパネル、ボタン、スイッチ、音声入力装置等の入力デバイスであり、外部からの入力動作によって生じた情報を制御部６へ入力する。
【００３３】
振動部５は、振動を発生するバイブレータであり、携帯電話機１の筐体に振動を与える。
また、振動部５は、制御部６から指示された振動回数、振動パターンを元に振動する。また、振動部５は、振動の強弱を区別して振動することが可能である。
【００３４】
制御部６は、上記の各構成を制御し、特に、記憶部３に記憶された情報を任意に読み出したり、振動部５へ振動回数や振動パターンの情報を入力する。
【００３５】
図２は、本発明の実施形態１における携帯電話機１の処理手順を示すフローチャートである。ここでは、携帯電話機１で電子マネーやネットバンクといった外部端末から取得する残高（金額）情報を参照する場合を例にして説明する。
【００３６】
まず、携帯無線機１は、メニューを起動すると、通信部２を用いて残高照会を行い、残高情報を記憶部３に格納する（ステップＳ２０１）。
【００３７】
次に、入力部４は、使用者からの参照桁入力を待つ（ステップＳ２０２）。
【００３８】
次に、入力部４に参照桁入力があった場合（ステップＳ２０２、Ｙｅｓ）、制御部６は、当該参照桁が０であるか否かを判定する（ステップＳ２０３）。
【００３９】
次に、制御部６は、入力部４に入力された数字が０であると判定した場合（ステップＳ２０３、Ｙｅｓ）、記憶部３に格納した残高情報の最下位桁の数字を抽出する（ステップＳ２０４）。
【００４０】
次に、制御部６は、最下位桁の数字の回数分振動するよう振動部５へ指示し、振動部５は、指示された数字の回数分振動する（ステップＳ２０５）。例えば、残高情報が、１２３４円である場合、制御部６は、最下位桁の「４」を抽出し、振動部５は４回振動する。
【００４１】
次に、制御部６は、一つ上位の桁があるか否かを判定する（ステップＳ２０６）。
【００４２】
次に、制御部６は、一つ上位の桁が存在すると判定した場合（ステップＳ２０６、Ｙｅｓ）、その桁の数字を抽出し（ステップＳ２０７）、振動部５は抽出した数字の回数分振動する（ステップＳ２０５）。例えば、残高情報が、１２３４円である場合、制御部６は最下位桁の一つ上位の桁である「３」を抽出し、振動部５は３回振動する。
【００４３】
一方、制御部６は、一つ上位の桁が存在しないと判定した場合（ステップＳ２０６、Ｎｏ）、これら一連の処理を終了する。
【００４４】
次に、制御部６は、入力部４に入力された数字が０以外であると判定した場合（ステップＳ２０３、Ｎｏ）、入力された参照桁の数字が過半数であるかどうかによって振動の長短、強弱を切り替える過半数提示モードが設定されているかを確認する（ステップＳ２０８）。なお、入力部４に数字を入力した後、所定時間内に特定の入力がある場合のみ、当該数字に対して過半数提示モードを適用することとしてもよい。
【００４５】
次に、携帯電話機１が過半数提示モードに設定されている場合（ステップＳ２０８、Ｙｅｓ）、制御部６は、残高情報のうち、入力部４に入力された数字の桁を参照し、抽出された数字が過半数（５以上）であるかどうか判定する（ステップＳ２０９）。
【００４６】
次に、入力部４に入力された参照桁の数字が過半数以上である場合（ステップＳ２０９、Ｙｅｓ）振動部６を所定の強さ（例えば、回転数１５ｋＨｚ）、もしくは、所定の長さ（例えば、３秒）で振動させ（ステップＳ２１０）、使用者への情報伝達を行い、これら一連の処理を終了する。
【００４７】
一方、入力部４に入力された参照桁の数字が過半数以上でない場合（ステップＳ２０９、Ｎｏ）振動部６を所定の強さ（例えば、回転数７ｋＨｚ）、もしくは、所定の長さ（例えば、１秒）で振動させ（ステップＳ２１１）、使用者への情報伝達を行い、これら一連の処理を終了する。つまり、入力された数字が過半数以上である場合と比べて、振動部６で発生する振動の強さを弱くし、長さを短くするよう異ならせている。なお、入力された参照桁の数字が過半数以上でない場合、振動部６を振動させないようにしてもよい。
【００４８】
次に、携帯電話機１が過半数提示モードに設定されていない場合（ステップＳ２０８、Ｎｏ）、制御部６は、残高情報のうち、入力部４に入力された数字の桁を参照し、数字情報の抽出を行う（ステップＳ２１２）。
【００４９】
次に、振動部５は抽出された数字の回数分振動することで（ステップＳ２１３）、使用者への情報伝達を行い、これら一連の処理を終了する。例えば、残高情報が１２３４円である場合、入力された数字が３であれば、制御部６は最下位桁（１桁目とする）から３桁目の「２」を抽出し、振動部５は２回振動して処理を終了する。
【００５０】
上記実施の形態１によれば、他人にみられずに、携帯電話機１の使用者へ残高情報を的確に通知できる。
【００５１】
（実施の形態２）
図３は、本発明の実施形態２における携帯電話機７の概略構成を示すブロック図である。
【００５２】
図３に示す携帯電話機７は、図１に示す実施の形態１に係る携帯電話機１に対して、計時部８が追加されている。なお、図３において、図１と同一構成である部分には同一の符号を付してその説明を省略する。
【００５３】
計時部８は、時刻を計時する時計や、時間を計測するストップウォッチ等である。
【００５４】
次に、図２を用いて、本発明の実施形態２における携帯電話機７の処理手順を説明する。なお、実施の形態１に係る携帯電話機１と同様の処理については説明を省略する。
【００５５】
制御部６は、計時部８から時間情報（例えば、１２時３４分や、１２分３４秒など）を取得し、時間情報を記憶部３に格納する（ステップＳ２０１）。ステップＳ２０２以降の処理については、実施の形態１と同様であり、記憶部３に格納された時間情報のうち、入力された参照桁の数字に応じて振動部６が振動する。
【００５６】
上記実施の形態２によれば、他人にみられずに、携帯電話機７の使用者へ時間情報を的確に通知できる。
【００５７】
（変形例）
上記実施の形態２では、ステップＳ２０２において入力された参照桁の数字が過半数以上（５以上）であるか否かに応じて、振動の強弱、長短を異ならせている（ステップＳ２０９、２１０、２１１）。
【００５８】
しかしながら、入力された参照桁の数字が所定値以上ではなく、時分を示す数字が所定値以上であるか否かに応じて、振動の強弱、長短を異ならせてもよい。つまり、過半数モードに設定されているときに、入力された参照桁が１または２である場合、計時部８が示す現在時刻のうち分を示す部分が３０以上であるか否かに応じて強弱、長短を異ならせる。
【００５９】
具体的には、時刻のうち、分を示す部分が３０以上であれば、振動部６を所定の強さ（例えば、回転数１５ｋＨｚ）、もしくは、所定の長さ（例えば、３秒）で振動させ（ステップＳ２１０）、使用者への情報伝達を行う。
【００６０】
一方、時刻のうち、分を示す部分が３０未満であれば、振動部６を所定の強さ（例えば、回転数７ｋＨｚ）、もしくは、所定の長さ（例えば、１秒）で振動させ（ステップＳ２１１）、使用者への情報伝達を行う。
【００６１】
つまり、例えば、現在時刻が１４時２３分であるときに、参照桁が１または２である場合、制御部６は分を示す部分である「２３」を抽出し、３０未満であるため、振動部６を所定の強さ（例えば、回転数７ｋＨｚ）、もしくは、所定の長さ（例えば、１秒）で振動させる。
【００６２】
また、過半数モードに設定されているときに、入力された参照桁が３または４である場合、計時部８が示す現在時刻のうち時を示す部分が１２以上であるか否かに応じて強弱、長短を異ならせる。
【００６３】
具体的には、時刻のうち、時を示す部分が１２以上であれば、振動部６を所定の強さ（例えば、回転数１５ｋＨｚ）、もしくは、所定の長さ（例えば、３秒）で振動させ（ステップＳ２１０）、使用者への情報伝達を行う。
【００６４】
一方、時刻のうち、時を示す部分が１２未満であれば、振動部６を所定の強さ（例えば、回転数７ｋＨｚ）、もしくは、所定の長さ（例えば、１秒）で振動させ（ステップＳ２１１）、使用者への情報伝達を行う。
【００６５】
つまり、例えば、現在時刻が１４時２３分であるときに、参照桁が３または４である場合、制御部６は時を示す部分である「１４」を抽出し、１２以上であるため、振動部６を所定の強さ（例えば、回転数１５ｋＨｚ）、もしくは、所定の長さ（例えば、３秒）で振動させる。
【００６６】
なお、分を示す部分が３０未満である場合や、時を示す部分が１２未満であるである場合に、振動部６を振動させないようにしてもよい。
【００６７】
以上の変形例によれば、他人にみられずに、携帯電話機７の使用者へ時間情報を的確に通知できる。特に、時分を示す数字が所定値以上であるか否かに応じて、振動の強弱、長短を異ならせることにより、他人にみられずに、所望の時間情報を振動パターンの違いにより判別することができる。
【産業上の利用可能性】
【００６８】
本発明にかかる電子機器は、他人にみられずに、電子機器の使用者へ数値情報を的確に通知できるため、金額や時間等の数値情報を扱う携帯電話機や時計等の電子機器に有用である。
【符号の説明】
【００６９】
１、７    携帯電話機
２    通信部
３    記憶部
４    入力部
５    振動部
６    制御部
８    計時部
【図１】
2012227741.tif 000003
【図２】
2012227741.tif 000004
【図３】
2012227741.tif 000005